(57)【要約】      （修正有）【課題】トイレットペーパーホルダーのカバーを持ち上げることなく、且つ、ロール紙を引き出すこともなく任意の長さのロール紙を衛生的に送り出す。【解決手段】カバーＣの上面に設けられた３本のカシメパンチ玉が嵌合した溝と、保持部又は引っ張り枠部を操作する事で、カシメパンチ玉でカバー底面と嵌合しているスライド補助板とロール紙送り出し送り出し板が連動する、プッシュ＆プルロール紙送り出しトイレットペーパーホルダー。【選択図】図２
2017080224.tif 000002
【特許請求の範囲】
【請求項１】
トイレットペーパーホルダーのカバーを持ち上げることなく、且つ、ロール紙を引き出すことをしなくても任意の長さに衛生的にロール紙を送り出すことを特徴とするプッシュ＆プルロール紙送り出しトイレットペーパーホルダー。
【請求項２】
前記トイレットペーパーホルダーのカバーに装着したロール紙送り出しユニットを前記カバーとロール紙との接触面の任意の位置に位置して作動することで、ロール紙をスムースに送り出すことができることを特徴とする請求項１記載のプッシ＆プルロー紙送り出しトイレットペーパーホルダー。
【請求項３】
前記トイレットペーパーホルダーのカバーに装着した前記ロール紙送り出しユニットの保持部を押しても、引っ張り枠部を引いても、前記ロール紙を支障なく引き出すことができることを特徴とする請求項１又は２記載のプッシュ＆プルロール紙送り出しトイレットペーパーホルダー。
【発明の詳細な説明】
【技術分野】
【０００１】
本発明はトイレットペーパーホルダーのカバーを持ち上げることなく、且つ、ロール紙を引き出すことをしなくても任意の長さのロール紙を送り出すことを特徴とするトイレットペーパーホルダーに関する。
【背景技術】
【０００２】
従来、トイレは、夫々の家で少なくとも１カ所は必要とされ、また、不特定多数の者が出入り使用する病院やオフィスビル等の建造物のトイレ、そこに設置されているトイレットペーパーホルダーは、多様式で、それなりの設置数があるが、使用する者の手が個々に触れて衛生的でないと言う衛生面に問題点があった。
【０００３】
従来のトイレットペーパーホルダーのカバーは、ロール紙を上から押える機能と紙を切断するときのカッター板の機能とを兼ねている。
従って、トイレットペーパーホルダーでロール紙を切断する際には、カバーの先端部でロール紙を押さえてカットするため、ロール紙のカット部は強く押し付けられて静電気等で付着される。次に、ロール紙を引き出すには、付着している端部を引き出すことが困難なため、片手でカバーを持ち上げて、もう一方の手の指の爪先等でロール紙の端部を剥がしてから引き出す方法であるため、カットするには両手が必要である。
これらの問題を解消するために多くの技術が提案されている。その一例として、下記特許文献１が存在する。
この特許文献１によるトイレットペーパーホルダーに付帯する装置は、ロール紙をセットするのに手間がかかり、また、ロール紙が残り少なくなった時、芯近くのロール紙の直径が小さくなり、ロール紙の巻き上げ作用を期待することができない。
特許文献２においても、同様にロール紙をセットするのに手間がかかり、また、ロール紙が残り少なくなった時、装着されたすべり軸や跳ね上げ盤が作用効果の期待ができないという欠点があった。
次に、特許文献３において、トイレットペーパーホルダーのカバーのほぼ中央に長穴を形成し、ロール紙の送り出し部としているが、ほこりが溜まりやすく、ロール紙が不衛生になりかねない。また、ロール紙が残り少なくなった時、長穴の送り出し部の作用面が小さくなり、ロール紙の送り出し作用を期待することができない。
特許文献４において、ロール紙を交換しやすく、簡単に引き出しカットできるが、ロール紙の上方にカバーが無いので、ほこりも溜まりやすく、ロール紙が不衛生になりかねない。更に、ロール紙が残り少なくなった時、納まりも悪く、引き出しカットが容易にできなくなる。
これらの問題点に鑑み、特許文献５が存在することも否定できなく、衛生的にも操作的にもクリアするが、電動式で、且つ、電気配線を必要とする。さらに、市販されているトイレットペーパーホルダーよりかなり高価である。
また、特許文献６においても存在することも否定できなく、衛生的にも操作的にもクリアするが、製造する上で組み立て機構が複雑で、トイレットペーパーホルダーのカバーが嵩高くなる。
【先行技術文献】
【特許文献】
【０００４】
【特許文献１】特開平８−１４０８８８
【特許文献２】特開平１１−１１３７８６
【特許文献３】特開２０１１−１２０８４９
【特許文献４】特開２０１３−０４３０７８
【特許文献５】特開２０１１−１６１１８４
【特許文献６】特開２０１５−０１２９８３
【発明の概要】
【発明が解決しようとする課題】
【０００５】
解決しようとする問題点は、不特定多数の人が出入りする病院やオフィスビル等の建造物でトイレを使用する際、そこのトイレットペーパーホルダーのカバーを持ち上げて、ロール紙を引き出すことは衛生的でない点と、片手でロール紙を引き出しカットする操作は困難である点と、ロール紙が残り少なくなった時、上記先行技術文献の参考特許文献にあるように対応できない点である。
本発明は以上の問題を解決しようとするものである。
【課題を解決するための手段】
【０００６】
本発明は、トイレットペーパーホルダーのカバーを持ち上げることなく、且つ、ロール紙を引き出すことをしなくても任意の長さのロール紙をより衛生的に送り出すことを最も主要な特徴とする。
【０００７】
本発明を更に詳細に述べる。
トイレットペーパーホルダーのカバーにおいて、ロール紙が新しい時もロール紙が残り少なくなった時も、ロール紙のカット部分寄りの位置で、常時、ロール紙に接触する面を選択し、そこにロール紙の送り出し操作部ユニットを装着する。また、トイレットペーパーのサイズも芯の直径３８ｍｍ、幅１１４ｍｍ、直径１１２ｍｍとＪＩＳ（日本工業規格）で制約がある。一般に、トイレットペーパーホルダーのカバーのサイズは、幅１２０ｍｍ位がよく見られる。
本発明は、前記トイレットペーパーホルダーのカバーの幅中央部で、カバーとロール紙との接触面の任意の位置に、長さ約４０ｍｍのガイド溝を設け、それに付帯する前記ユニットのユニット保持枠を装着する。
前記送り出しユニットは、前記トイレットペーパーホルダーのカバーに任意に設けられた３本の前記ガイド溝に付帯する。前記送り出しユニットは、前記トイレットペーパーホルダーのカバーの下面に、スライド補助板と波形付きロール紙送り出し板とを設け、前記カバーの上面に、引っ張り枠部付帯の前記ユニット保持枠（取っ手）を設け、上下面の夫々の部材をカシメ部材で嵌合する。
本発明は、以上のような構成よりなるプッシュ＆プルロール紙送り出しトイレットペーパーホルダーである。
【発明の効果】
【０００８】
本発明は、上記の様な構成をしたプッシュ＆プルロール紙送り出しトイレットペーパーホルダーである。
本発明によれば、既存のトイレットペーパーホルダーのカバーを交換するだけで、使用することができ、経済的である。しかも、電動式でないので、電気配線等の工事の必要がない。また、使用する度に、新しいロール紙を送り出すことができるので、衛生的である。
また更に、本発明は、怪我等で片手が使えない人や手の不自由な人には、押すばかりでなく、引くことでもロール紙を送り出すことが容易にできて、使い勝手が良い。
近頃では、トイレットペーパーホルダーのカバーの押さえが利いているものも多く、より使い勝手がよくなると考えられる。
また、接触面の任意の位置及び方法で適宜設計変更を可能にできるように構成されている。
【図面の簡単な説明】
【０００９】
【図１】従来のトイレットペーパーホルダーを示す斜視図
【図２】本発明のプッシュ＆プルロール紙送り出しトイレットペーパーホルダーの送り出しユニットの装着位置を示す側面図
【図３】同上のトイレットペーパーホルダーのカバーの送り出しユニットを示す上面図
【図４】同上のトイレットペーパーホルダーのカバーの送り出しユニットを示す底面図
【符号の説明】
【００１０】
Ｔ    トイレットペーパーホルダー
Ｃ    カバー
Ｈ    サイドホルダー
Ｒ    ロール紙
１    ロール紙送り出しユニット
２    ガイド溝
３    パンチカシメ玉
４    保持部（取っ手）
５    引っ張り枠部
６    スライド補助板
７    波形付ロール紙送り出し板
８    引き戻しバネ
【発明を実施するための形態】
【００１１】
以上の構成よりなるから、前記トイレットペーパーホルダーのカバーに付帯するロール紙送り出しユニットの保持部（取っ手）を押すと、前記ユニットに付帯するスライド補助板や波形付ロール紙送り出し板が連動する。これにより、前記ロール紙をスムースに送り出すことができる。
従って、前記保持部を押すことにより、この保持部の１回のストローク約２０ｍｍ移行することにより、前記ロール紙を約２０ｍｍ押し出すことができる機構を有している。また、保持部を押す代わりに、引っ張り枠部を引いても、同様の作用をすることができ、繰り返すことにより、前記ロール紙を任意の長さに送り出すことができる。
【００１２】
以下図面に基づき本発明の実施の形態について説明する。
図１は従来のトイレットペーパーホルダーＴを示す斜視図であって、カバーＣとサイドホルダーＨと内装されたロール紙Ｒとで構成されている。
図２においては、本発明の実施の形態のプッシュ＆プルロール紙送り出しトイレットペーパーホルダーＴにロール紙送り出しユニット１を付帯する装着位置を示す側面図である。
図３と図４は、トイレットペーパーホルダーＴのカバーＣの送り出しユニット１の上面と底面を示す図で、図３は、トイレットペーパーホルダーＴのカバーＣの任意に設けられた３本のガイド溝２にカシメパンチ玉３で嵌合されたロール紙送り出しユニット１の保持部（取っ手）４と引っ張り枠部５とで構成されている。図４は、３図にあるように、ロール紙送り出しユニット１と嵌合しているカシメパンチ玉３は、前記カバーＣの底面でスライド補助板６と、カバーＣとロール紙Ｒとの接触面の任意の位置する波形付きロール紙送り出し板７とも嵌合して、連動していることを示す図である。また、引き戻しバネ８を付帯することで、繰り返し作動することができ、前記ロール紙Ｒを任意の長さに送り出すことができる。
【図１】
2017080224.tif 000003
【図２】
2017080224.tif 000004
【図３】
2017080224.tif 000005
【図４】
2017080224.tif 000006